(57)【要約】【課題】戸先芯材の内側に水が侵入したとしても、ペーパーコアへの水の接触を確実に防止することができる戸体を提供すること。【解決手段】戸体１０は、戸体１０の戸先側に配置される戸先芯材４４と、戸先芯材４４よりも吊元側にリーダ９１、上側シリンダ錠９２、ハンドル９３、下側シリンダ錠９４等の部品を取り付ける開口部２１〜２４が形成される室外側表面材２０及び部品を取り付ける開口部３１〜３４が形成される室内側表面材３０と、室外側表面材２０と室内側表面材３０の間に配置されるペーパーコア５０と、戸体１０の戸先側に配置され、開口部２１〜２４及び開口部３１〜３４に連通する空間をペーパーコア５０から隔てる第１断熱材６１、第２断熱材６２、第３断熱材６３と、第１断熱材６１と戸体１０の下端部の間で、戸先芯材４４とペーパーコア５０を隔てるように配置される下側断熱材６４と、を備える。【選択図】図２
2018003408.tif 000002
【特許請求の範囲】
【請求項１】
枠体に開閉可能に取り付けられる戸体であって、
前記戸体の戸先側に配置される戸先芯材と、
前記戸先芯材よりも吊元側に部品を取り付ける開口部が形成される表面材と、
室外側の前記表面材と室内側の前記表面材の間に配置されるペーパーコアと、
前記戸体の戸先側に配置され、前記開口部に連通する空間を前記ペーパーコアから隔てる囲い部材と、
前記囲い部材と前記戸体の下端部の間で、前記戸先芯材と前記ペーパーコアを隔てるように配置される区画部材と、
を備える戸体。
【請求項２】
前記区画部材は、熱可塑性樹脂で構成され、
前記囲い部材は、不燃性又は難燃性の熱硬化性樹脂で構成される請求項１に記載の戸体。
【発明の詳細な説明】
【技術分野】
【０００１】
本発明は、表面材に部品を取り付ける開口部が形成される戸体に関する。
【背景技術】
【０００２】
戸体の内部には、シリンダ錠等の部品を取り付ける開口部に連通する空間が形成されており、この空間に雨水等が入り込むことがある。特許文献１には、施錠装置の下方に排水手段を備えることにより、施錠装置が一対の鋼板を貫いた部位から侵入した水等を排水手段により外部へ排出する構造が開示されている。
【先行技術文献】
【特許文献】
【０００３】
【特許文献１】特開２００７−５６５７６号公報
【発明の概要】
【発明が解決しようとする課題】
【０００４】
コア材として紙製のペーパーコアを使用する場合、コア材への水の侵入を確実に防ぐことが望まれる。この点、特許文献１に開示される排水構造では、シリンダ錠と室外側鋼板との間から雨水等が浸入した場合にも当該雨水等を鋼板ドアの外に排出することができるものの、戸先芯材に開口部を形成したり、シリンダ錠の下方にスロープを形成したりする必要があり、構造が複雑化して製造性の向上という点で改善の余地があった。例えば、ハンドル、シリンダ錠、カードリーダ、制御ユニット等の複数の部品を戸体に取り付ける場合には、各部品のそれぞれにスロープ状の排水構造を設ける必要が生じてしまう。更に、排水構造の下方で、戸先芯材の内側をつたって侵入する水がコア材に接触する事態を防止するという観点でも従来技術には改善の余地があった。
【０００５】
本発明は、戸先芯材の内側に水が侵入したとしても、ペーパーコアへの水の接触を確実に防止できる戸体の構成を提供することを目的とする。
【課題を解決するための手段】
【０００６】
本発明は、枠体（例えば、後述の枠体２）に開閉可能に取り付けられる戸体（例えば、後述の戸体１０，１１０）であって、前記戸体の戸先側に配置される戸先芯材（例えば、後述の戸先芯材４４）と、前記戸先芯材よりも吊元側に部品（例えば、後述のリーダ９１、上側シリンダ錠９２、ハンドル９３、下側シリンダ錠９４）を取り付ける開口部（例えば、後述の開口部２１〜２４、開口部３１〜３４、開口部１２１〜１２３、開口部１３１〜１３３）が形成される表面材（例えば、後述の室外側表面材２０，１２０、室内側表面材３０，１３０）と、室外側の前記表面材と室内側の前記表面材の間に配置されるペーパーコア（例えば、後述のペーパーコア５０）と、前記戸体の戸先側に配置され、前記開口部に連通する空間を前記ペーパーコアから隔てる囲い部材（例えば、後述の第１断熱材６１，１７０、第２断熱材６２、第３断熱材６３）と、前記囲い部材と前記戸体の下端部の間で、前記戸先芯材と前記ペーパーコアを隔てるように配置される区画部材（例えば、後述の下側断熱材６４）と、を備える戸体に関する。
【０００７】
前記区画部材は、熱可塑性樹脂で構成され、前記囲い部材は、不燃性又は難燃性の熱硬化性樹脂で構成されることが好ましい。
【発明の効果】
【０００８】
本発明の戸体の構成によれば、戸先芯材の内側に水が侵入したとしても、ペーパーコアへの水の接触を確実に防止することができる。
【図面の簡単な説明】
【０００９】
【図１】本発明の一実施形態に係る戸体を備える建具を室外側から見た姿図である。
【図２】本実施形態の戸体の内部を室外側から見た図である。
【図３】本実施形態の戸体の内部を室内側から見た図である。
【図４】本実施形態の第１断熱材と下側断熱材の位置関係を模式的に示す拡大図である。
【図５】本発明の一実施形態に係る戸体の分解斜視図である。
【図６】戸先芯材を介して室外側表面材と室内側表面材が接続される様子を模式的に示す戸体の戸先側の拡大断面図である。
【発明を実施するための形態】
【００１０】
以下、建物に形成された躯体開口部の内部に設けられ、開閉可能な戸体１０を備える建具１を本発明の一実施形態として説明する。
【００１１】
図１は、本実施形態に係る戸体１０を備える建具１を室外側から見た姿図である。図１に示すように、建具１は、建物側に固定される枠体２と、枠体２に対して開閉可能に取り付けられる戸体１０と、を備える。
【００１２】
枠体２は、横枠としての上枠３及び下枠４と、吊元側の縦枠５と、戸先側の縦枠６と、により矩形に枠組みされる。
【００１３】
戸体１０は、吊元側の縦枠５に固定される蝶番９６を介して枠体２の内側に吊り込まれる開き戸である。本実施形態の戸体１０は、いわゆる電気錠式のドアである。
【００１４】
戸体１０の戸先側には、上から順に、リーダ９１、上側シリンダ錠９２、ハンドル９３、下側シリンダ錠９４が配置される。電気錠部品としてのリーダ９１が、カードキーやリモートコントロールや携帯電話等から送信される開閉信号を受信すると、後述する制御ユニット９５（図１において図示省略）により、該開閉信号に基づいて上側シリンダ錠９２及び下側シリンダ錠９４の施錠又は開錠が行われる。
【００１５】
戸体１０の上部中央にはガラス開口部８１が上下方向に３個並んで形成されており、光を透過する窓部８０が３箇所となっている。窓部８０の下方には、ポスト８５が配置される。
【００１６】
次に、戸体１０の内部構造について説明する。図２は、本実施形態の戸体１０の内部を室外側から見た図であり、室外側表面材２０が取り外された状態が示されている。図３は、本実施形態の戸体１０の内部を室内側から見た図であり、図３では室内側表面材３０が取り外された状態が示されている。
【００１７】
図２に示すように、戸体１０が備える室内側表面材３０の戸先側には、部品を取り付けるための開口部３１〜３４が上下方向に複数形成される。開口部３１は、リーダ９１を取り付けるための部分であり、開口部３２は、上側シリンダ錠９２に対応する部分である。開口部３３は、ハンドル９３を取り付けるための部分であり、上下二箇所に形成される。開口部３４は、下側シリンダ錠９４に対応する部分である。
【００１８】
図３に示すように、戸体１０が備える室外側表面材２０の戸先側にも、部品を取り付けるための開口部２１〜２４が上下方向に複数形成される。開口部２１〜２４は、開口部３１〜３４の位置に対応している。開口部２１は、リーダ９１を取り付けるための部分であり、開口部２２は、上側シリンダ錠９２に対応する部分である。開口部２３は、ハンドル９３を取り付けるための部分であり、上下二箇所に形成される。開口部２４は、下側シリンダ錠９４に対応する部分である。
【００１９】
室外側表面材２０と室内側表面材３０の間には、金属製芯材４０と、ペーパーコア５０と、戸先側断熱部６０と、が設けられる。
【００２０】
金属製芯材４０は、上芯材４１と、下芯材４２と、吊元芯材４３と、戸先芯材４４と、により矩形に枠組みされる。上芯材４１、下芯材４２、吊元芯材４３及び戸先芯材４４は、室内側表面材３０に固定されるとともに室外側表面材２０に固定される。
【００２１】
本実施形態の上芯材４１及び下芯材４２は、水平方向で見たときに角部を直角にした略Ｕ字状に形成されており、吊元芯材４３は、平面視で角部を直角にした略Ｕ字状に形成される。上芯材４１、下芯材４２及び吊元芯材４３は、何れもＵ字状の溝部分を内側に向けて配置される。戸先芯材４４は、室外側及び室内側の双方が戸先側に屈曲するように形成されている。なお、上芯材４１、下芯材４２、吊元芯材４３及び戸先芯材４４の構造については、後述する図５及び図６に示す戸体１１０の構造でも説明する。
【００２２】
ペーパーコア５０は、矩形に枠組みされた金属製芯材４０の内側に配置される。本実施形態のペーパーコア５０は、ハニカム構造を有する紙製のコア材である。ペーパーコア５０の室外側の面は、室外側表面材２０の内側面に接着剤を介して接着固定されるとともに、室内側の面は、室内側表面材３０の内側面に接着剤を介して接着固定される。ペーパーコア５０には、ガラス部７０を収容するガラス収容部５１及びポスト芯材８６（ポスト断熱材８７）を配置するためのポスト開口部５２が形成される。なお、ペーパーコア５０は、単一の部材で構成してもよいし、複数のパーツから構成してもよい。
【００２３】
ガラス部７０は、窓部８０を構成するものであり、複層ガラス７１及び複層ガラス７１の端面を囲うガラス芯材７２を主要な構成として備える。上述の通り、室外側表面材２０及び室内側表面材３０のそれぞれには、複層ガラス７１の位置に対応するガラス開口部８１が上下方向に複数（３個）並んで形成されており、ガラス開口部８１は複層ガラス７１の位置に対応するように形成される。
【００２４】
ポスト芯材８６は、矩形の枠組み状に形成され、室内側と室外側を連通するポスト８５の開口部を構成する。また、ポスト芯材８６の外周には、不燃性（難燃性）の熱硬化性樹脂（フェノール樹脂）で構成されるポスト断熱材８７が配置される。
【００２５】
ペーパーコア５０の上部吊元側には、ドアクローザ（図示省略）を設置するための木片８９を配置するための切欠部５３が形成される。切欠部５３には、室内側に木片８９を固定するＥＰＳ部材８８が配置される。
【００２６】
ペーパーコア５０は、その戸先側と戸先芯材４４の間に隙間が形成されるように構成される。このペーパーコア５０と戸先芯材４４の間に戸先側断熱部６０が配置される。
【００２７】
本実施形態の戸先側断熱部６０は、第１断熱材（囲い部材）６１、第２断熱材（囲い部材）６２、第３断熱材（囲い部材）６３、下側断熱材（区画部材）６４と、から構成される。
【００２８】
第１断熱材６１は、不燃性（難燃性）の熱硬化性樹脂（フェノール樹脂）で構成される。第１断熱材６１は、その全体形状が上下方向に細長く形成される。第１断熱材６１の戸先側には、上側シリンダ錠９２に対応する第１切欠部６１１、ハンドル９３の上側の取付部分に対応する第２切欠部６１２、ハンドル９３の下側の取付部分に対応する第３切欠部６１３、下側シリンダ錠９４に対応する第４切欠部６１４が上から順に形成される。
【００２９】
第１切欠部６１１は、戸先芯材４４とともに上側シリンダ錠９２を収容する空間を形成する。この第１切欠部６１１により、室外側表面材２０の開口部２２に連通するとともに、室内側表面材３０の開口部３２に連通する空間が区画される。
【００３０】
第２切欠部６１２は、戸先芯材４４とともにハンドル９３の上部を取り付けるための空間を囲うように形成される。この第２切欠部６１２により、室外側表面材２０の上側の開口部２３に連通するとともに、室内側表面材３０の上側の開口部３３に連通する空間が区画される。
【００３１】
第３切欠部６１３は、戸先側がスリット状に形成されるとともに、該スリットに吊元側で連通する部分が開口部３３に対応する形状に形成される。即ち、第３切欠部６１３は、室外側表面材２０の下側の開口部２３に連通するとともに、室内側表面材３０の下側の開口部３３に連通する空間を囲うように構成される。
【００３２】
第４切欠部６１４は、戸先芯材４４とともに下側シリンダ錠９４を収容する空間を形成する。本実施形態の第４切欠部６１４は、室外側表面材２０の開口部２４に連通するとともに、室内側表面材３０の開口部３４に連通する空間を囲うように形成されている。
【００３３】
第２断熱材６２は、不燃性（難燃性）の熱硬化性樹脂（フェノール樹脂）で構成される。第２断熱材６２は、Ｌ字を上下逆さまにした形状に形成されており、第１断熱材６１の上方に配置される。第２断熱材６２は、戸先芯材４４及び第１断熱材６１の上部とともに、リーダ９１を収容する空間を形成する。この第２断熱材６２により、室外側表面材２０の開口部２１に連通するとともに室内側表面材３０の開口部３１に連通する空間が区画される。
【００３４】
第３断熱材６３は、不燃性（難燃性）の熱硬化性樹脂（フェノール樹脂）で構成される。第３断熱材６３は、Ｌ字を上下逆さまにした形状に形成されており、その下部戸先側の面が第２断熱材６２の吊元側の面に接触するように配置される。この第３断熱材６３と第２断熱材６２によって、電気錠システムをコントロールする制御ユニット９５を収容する空間が区画される。また、第３断熱材６３は、第２断熱材６２の外側を更に囲うような形状となっており、第２断熱材６２の外側で開口部２１及び開口部３１を囲う関係にある。
【００３５】
下側断熱材６４は、熱可塑性樹脂のＥＰＳ（発泡スチロール）で構成される。下側断熱材６４は、第１断熱材６１と下芯材４２の間に配置されている。下側断熱材６４は、その上端面が第１断熱材６１の下面に対面接触するとともに下芯材４２の上部に接触する角柱状に形成される。下側断熱材６４により、不燃性の第１断熱材６１と下芯材４２の間が埋められており、ペーパーコア５０の下部の戸先側が戸先芯材４４から隔てられる形となっている。
【００３６】
本実施形態では、第１断熱材６１、第２断熱材６２、第３断熱材６３及び下側断熱材６４は、何れもその室外側の面が室外側表面材２０の内側面に接着固定されるとともに、室内側の面が室内側表面材３０の内側面に接着固定される。即ち、第１断熱材６１、第２断熱材６２、第３断熱材６３及び下側断熱材６４は、戸先芯材４４に固定されていない。
【００３７】
次に、排水経路について説明する。図２及び図３の矢印に示すように、開口部２１及び開口部３１に連通する空間に水が侵入すると、第１断熱材６１の戸先側の面と戸先芯材４４の吊元側の面の間を通って下方に流れようとする。同様に、開口部２２及び開口部３２に連通する空間、開口部２３及び開口部３３に連通する空間、開口部２４及び開口部３４に連通する空間に水が侵入した場合も、第１断熱材６１と戸先芯材４４の隙間を通って水が流れようとする。各空間では、何れも第１断熱材６１、第２断熱材６２、第３断熱材６３によってペーパーコア５０と隔てられているので、ペーパーコア５０に水が接触することなく、下に流れる。
【００３８】
図４は、本実施形態の第１断熱材６１と下側断熱材６４の位置関係を模式的に示す拡大図である。図４に示すように、第１断熱材６１の下面には、下側断熱材６４が配置されており、戸先芯材４４とペーパーコア５０を隔離している。本実施形態の下側断熱材６４は、第１断熱材６１と下芯材４２の間に途切れることなく配置されており、戸先芯材４４からペーパーコア５０への水の流れを確実に規制するようになっている。従って、図４の矢印に示すように、戸先芯材４４との隙間を通って第１断熱材６１の下面まで水がつたったとしても、下側断熱材６４によってペーパーコア５０が水に濡れる事態が確実に防止される。本実施形態では、下側断熱材６４が下芯材４２の上端に接触しているので、ペーパーコア５０に触れることなく戸体１０の下端部に達することになる。
【００３９】
以上説明した実施形態によれば、以下のような効果を奏する。
戸体１０は、戸体１０の戸先側に配置される戸先芯材４４と、戸先芯材４４よりも吊元側にリーダ９１、上側シリンダ錠９２、ハンドル９３、下側シリンダ錠９４等の部品を取り付ける開口部２１〜２４が形成される室外側表面材２０及び部品を取り付ける開口部３１〜３４が形成される室内側表面材３０と、室外側表面材２０と室内側表面材３０の間に配置されるペーパーコア５０と、戸体１０の戸先側に配置され、開口部２１〜２４及び開口部３１〜３４に連通する空間をペーパーコア５０から隔てる第１断熱材６１、第２断熱材６２、第３断熱材６３と、第１断熱材６１と戸体１０の下端部の間で、戸先芯材４４とペーパーコア５０を隔てるように配置される下側断熱材６４と、を備える。
【００４０】
これにより、開口部２１〜２４及び開口部３１〜３４から戸体１０の内部に水が侵入した場合でも、第１断熱材６１、第２断熱材６２、第３断熱材６３によって開口部２１〜２４及び開口部３１〜３４に連通する空間がペーパーコア５０から隔てられているので、ペーパーコア５０が水に濡れる事態が確実に防止される。
また、戸先芯材４４の吊元側の面をつたって第１断熱材６１の下方まで水が達したとしても、第１断熱材６１の下面から下芯材４２まで下方に延出する下側断熱材６４によって戸先芯材４４とペーパーコア５０が隔てられているので、ペーパーコア５０が水に触れる事態が防止される。
【００４１】
更に、断熱材として機能する第１断熱材６１、第２断熱材６２、第３断熱材６３及び下側断熱材６４を利用してペーパーコア５０の水濡れを防止する構造を構成するので、鉄製の芯材の加工や排水構造を別途取り付ける場合に比べて製造性も高い。
【００４２】
本実施形態の区画部材としての下側断熱材６４は、熱可塑性樹脂であるＥＰＳ（発泡スチロール）で構成される。また、本実施形態の囲い部材としての第１断熱材６１、第２断熱材６２、第３断熱材６３は、不燃性の熱硬化性樹脂で構成される。
【００４３】
これにより、開口部２１〜２４及び開口部３１〜３４に連通する空間が不燃性の樹脂材料で囲われるので、火災により室内（一側の空間）が高温に曝され、上側シリンダ錠９２や下側シリンダ錠９４等の部品が開口部２１〜２４及び開口部３１〜３４から脱落したり、開口部２１〜２４及び開口部３１〜３４に隙間が生じたりしても、可燃ガスが開口部２１〜２４及び開口部３１〜３４を通じて外部に漏れ出て引火する事態を防止できる。
また、開口部２１〜２４及び開口部３１〜３４の周囲を区画する第１断熱材６１、第２断熱材６２、第３断熱材６３が非金属製の材料で構成されるので、従来の鉄製の囲い芯材に比べて重量も小さくでき、リベット等の締結部材を用いることなく戸体１０内部で支持固定することができ、製造性も向上する。
【００４４】
更に、下側断熱材６４まで不燃性になると火災時には室内外の温度差によって戸体１０が反り易くなってしまうが、本実施形態では、下側断熱材６４が熱可塑性樹脂にて構成されているので、火災時に下側断熱材６４が溶融消失し、室内外の温度差を小さくして戸体１０の反りを防止できる。
【００４５】
上記実施形態の戸体１０の構成は、事情に応じて適宜変更することができる。次に、上記実施形態の戸体１０の構成から窓部８０に関する構成やリーダ９１及び制御ユニット９５等の電子錠に関する構成等を省略した戸体１１０について説明する。
【００４６】
図５は、本発明の一実施形態に係る戸体１１０の分解斜視図である。なお、戸体１１０が備える構成は、基本的に戸体１０と同じ構成であり、上記実施形態と同様の構成については同じ符号を付してその説明を省略する場合がある。
【００４７】
図５に示すように、室外側表面材１２０の戸先側には、シリンダ錠やハンドル等の部品を取り付けるための複数の開口部１２１〜１２３が形成される。室内側表面材１３０の戸先側にも、同様の部品を取り付けるための開口部１３１〜１３３が形成される。
【００４８】
室外側表面材１２０の上部には内側に略９０度に折れ曲がる屈曲部１２６が形成され、その下部にも同様の屈曲部１２７が形成される。また、室外側表面材１２０の吊元側の端部にも同様の屈曲部１２８が形成される。
【００４９】
図６は、戸先芯材４４を介して室外側表面材１２０と室内側表面材１３０が接続される様子を模式的に示す戸体１１０の戸先側の拡大断面図である。図６に示すように、室外側表面材１２０の戸先側の端部には、吊元側が開放される溝を形成する折返し部１２９が設けられる。この折返し部１２９の上面には、上下方向に細長の加熱発泡材１５０が接着固定される。加熱発泡材１５０は、折返し部１２９の端部を基準に固定される。
【００５０】
室内側表面材１３０は、戸先側の端部に内側に屈曲する屈曲部１３５が形成される。屈曲部１３５の室外側の端部は吊元側に更に屈曲しており、この部分に上下方向で細長に形成される戸先スペーサ１６０が配置される。図５に示すように、戸先スペーサ１６０は、間隔をあけて複数（２個）配置される。
【００５１】
第１断熱材１７０は、第１断熱材６１と同様に、不燃性（難燃性）の熱硬化性樹脂（フェノール樹脂）で構成されており、開口部１２１〜１２３及び開口部１３１〜１３３に連通する空間を囲う複数の切欠部１７１，１７２が形成される。第１断熱材１７０の下方には、下側断熱材６４が配置される。なお、戸体１１０は、戸体１０のように、第２断熱材６２及び第３断熱材６３を備えていない点も異なる点である。
【００５２】
これ以外にも戸体１１０には仕様にあわせて適宜の部品が取り付けられる。例えば、室内側表面材１３０の内側面にはドアカード１６６及び受箱止め補強板１６７が設けられ、ハンドルの構成やシリンダ錠の数に応じてロックピース１６５が配置される。
【００５３】
また、ペーパーコア５０は、長方形の板状に形成されるハニカム構造体を戸体１１０内部のレイアウトに応じてカット及び圧縮した状態で室外側表面材１２０及び室内側表面材１３０に接着固定される。上述した戸体１０と同様に、ペーパーコア５０は、排水経路が形成される部分では、第１断熱材１７０及び下側断熱材６４によって戸先芯材４４と区画されているので、水に接触する事態が確実に防止される。
【００５４】
以上、本発明の好ましい実施形態について説明したが、本発明は、上述の実施形態に制限されるものではなく、適宜変更が可能である。
【００５５】
上記実施形態では、熱可塑性樹脂のＥＰＳにより下側断熱材６４を構成したが、第１断熱材６１と同様の熱硬化性樹脂で構成することもできる。
【００５６】
上記実施形態では、区画部材として第１断熱材６１、第２断熱材６２、第３断熱材６３等の不燃性の熱硬化性樹脂を用いた例を説明したが、熱可塑性樹脂のＥＰＳで構成されたものや鉄製の囲い芯材を用いることもできる。
【符号の説明】
【００５７】
２  枠体
１０，１１０  戸体
２１〜２４，３１〜３４，１２１〜１２３，１３１〜１３４  開口部
２０，１２０  室外側表面材
３０，１３０  室内側表面材
４４  戸先芯材
５０  ペーパーコア
６１，１７０  第１断熱材（囲い部材）
６２  第２断熱材（囲い部材）
６３  第３断熱材（囲い部材）
６４  下側断熱材（区画部材）
【図１】
2018003408.tif 000003
【図２】
2018003408.tif 000004
【図３】
2018003408.tif 000005
【図４】
2018003408.tif 000006
【図５】
2018003408.tif 000007
【図６】
2018003408.tif 000008